【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
下記を具備する方法：
データの通信のために、アクセス端末とデータネットワークとの間の接続を開くための要求を検出する；
前記アクセス端末と前記データネットワークとの間のアクセスネットワークにおいて複数の先在するオープン接続を検出する；
前記先在するオープン接続のデータトラヒック活動に一部基づいて前記先在するオープン接続の１つを選択する、各先在するオープン接続は、ビジーオープン状態またはアイドルオープン状態の一方にある；
前記選択された先在するオープン接続を解放する；および
前記解放され、選択された先在するオープン接続に対応する通信リソースを前記アクセス端末に割り当てる。
【請求項２】
前記選択されたオープン接続はアイドルオープン状態である、請求項１に記載の方法。
【請求項３】
前記選択されたオープン接続は、ビジーオープン状態にある、請求項１に記載の方法。
【請求項４】
オープン接続がアイドルオープン状態にあるかどうか判断する、前記選択されたオープン接続は、前記アイドルオープン状態にある前記判断されたオープン接続である請求項１に記載の方法。
【請求項５】
データの通信のための通信システムにおいて、下記を具備する方法：
データの通信のために、ユーザーのための接続を開くための要求を検出する；
２以上のオープン接続がアイドルオープン状態にあるかどうか判断する；
前記アイドルオープン状態にある前記２以上のオープン接続から、最も長いアイドルオープン状態接続時間を有するオープン接続を選択する；
前記選択されたオープン接続を解放する；および
前記選択されたオープン接続を解放することに基づいて、解放されたリソースに対応する通信リソースを前記ユーザーに割り当てる。
【請求項６】
下記をさらに具備する、請求項１に記載の方法：
２以上のオープン接続がアイドルオープン状態にあるかどうか判断する；
前記アイドル状態にある前記２以上のオープン接続から、所定の期間に所定のデータ量を送信するために使用されるオープン接続を決定する；前記選択されたオープン接続は前記所定の期間に前記所定のデータ量を送信するために使用される前記決定されたオープン接続である。
【請求項７】
前記所定のデータ量は前記アイドルオープン状態にある２以上のオープン接続のユーザ群の一人のユーザにより送信される最長のデータ量である、請求項６に記載の方法。
【請求項８】
下記をさらに具備する、請求項１に記載の方法：
２以上のオープン接続がアイドルオープン状態にあるかどうか判断する；
前記アイドル状態にある前記２以上のオープン接続から、所定の期間に所定のデータレートでデータを送信するために使用されるオープン接続を決定する；前記選択されたオープン接続は、前記所定の期間に前記所定のデータレートで送信するために使用される前記決定されたオープン接続である。
【請求項９】
前記所定のデータレートは、前記アイドルオープン状態にある前記２以上のオープン接続のユーザ群の一人のユーザにより使用される最高のデータレートである、請求項８に記載の方法。
【請求項１０】
前記所定の期間は、前記アイドルオープン状態にある前記２以上のオープン接続のユーザ群の一人のユーザが前記アイドルオープン状態に移動する前の期間である、請求項８に記載の方法。
【請求項１１】
下記をさらに具備する、請求項１に記載の方法：
２以上のオープン接続がアイドルオープン状態にあるかどうか判断する、前記選択は、前記アイドルオープン状態にある前記２以上のオープン接続からのランダムな選択に基づく。
【請求項１２】
下記をさらに具備する、請求項１に記載の方法：
２以上のオープン接続がアイドルオープン状態にあるかどうか判断する；
最長の組み合わされたアイドルオープン状態接続時間およびビジーオープン状態接続時間を有する、前記アイドルオープン状態にある前記２以上のオープン接続から１つのオープン接続を決定する；前記選択されたオープン接続は、前記最長の組み合わされたアイドルオープン状態接続時間およびビジーオープン状態接続時間を有する前記決定されたオープン接続である。
【請求項１３】
オープン接続がビジーオープン状態にあり、アイドルオープン状態にあるオープン接続は無いかどうか判断することをさらに具備し、前記選択されたオープン接続は前記ビジーオープン状態にある前記オープン接続である、請求項１に記載の方法。
【請求項１４】
下記をさらに具備する、請求項１に記載の方法：
２以上のオープン接続がビジーオープン状態にあり、アイドルオープン状態にあるオープン接続は無いかどうか判断する；
最長のビジーオープン状態接続時間を有する前記２以上のオープン接続から一つのオープン接続を決定する；前記選択されたオープン接続は、前記最長のオープン状態接続時間を有する前記２以上のオープン接続からの前記決定された接続である。
【請求項１５】
下記をさらに具備する請求項１に記載の方法：
２以上のオープン接続がビジーオープン状態にあり、アイドルオープン状態にあるオープン接続は無いかどうか判断する；
所定の期間に所定のデータ量を送信するために使用される前記２以上のオープン接続から１つのオープン接続を決定する；前記選択されたオープン接続は、前記所定の期間に前記所定のデータ量を送信するために使用される前記決定されたオープン接続である。
【請求項１６】
前記所定のデータ量は、前記ビジーオープン状態にある前記２以上のオープン接続のユーザ群の一人のユーザにより送信される最大データ量である、請求項１５に記載の方法。
【請求項１７】
前記所定の期間は、前記ビジーオープン状態にある前記２以上のオープン接続のユーザ群の一人のユーザが前記ビジーオープン状態に移動した後の期間である、請求項１５に記載の方法。
【請求項１８】
前記所定の期間は、前記所定の期間に前記所定のデータ量を送信するために使用される前記２以上のオープン接続から前記オープン接続を前記決定する直前の期間である、請求項１５に記載の方法。
【請求項１９】
下記をさらに具備する、請求項１に記載の方法：
２以上のオープン接続がビジーオープン状態にあり、アイドルオープン状態にあるオープン接続は無いかどうか判断する；
所定の期間に所定のデータレートでデータを送信するために使用される前記ビジーオープン状態にある前記２以上のオープン接続から１つのオープン接続を決定する；前記選択されたオープン接続は、前記所定の期間に前記所定のデータレートでデータを転送するために使用される前記決定されたオープン接続である。
【請求項２０】
前記所定のデータレートは、前記ビジーオープン状態にある前記２以上のオープン接続のユーザ群の一人のユーザにより使用される最高のデータレートである、請求項１９に記載の方法。
【請求項２１】
前記所定の期間は、前記所定期間に、前記所定のデータレートでデータを送信するために使用される前記ビジーオープン状態における前記２以上のオープン接続から前記オープン接続の前記決定の直前の期間である、請求項１９に記載の方法。
【請求項２２】
下記をさらに具備する、請求項１に記載の方法：
２以上のオープン接続がビジーオープン状態にあり、アイドルオープン状態にあるオープン接続が無いかどうか判断する；
最長の組み合わされたアイドルオープン状態接続時間およびビジーオープン状態接続時間を有した前記２以上のオープン接続から一つのオープン接続を決定する；前記選択されたオープン接続は、前記最長の組み合わされたアイドルオープン状態接続時間およびビジーオープン状態接続時間を有する前記決定された接続である。
【請求項２３】
さらに下記を具備する、請求項１に記載の方法：
少なくとも１つのオープン接続がビジーオープン状態にあるかどうか、および少なくとも１つのオープン接続がアイドルオープン状態にあるかどうか判断する、前記選択されたオープン接続は、前記少なくとも１つのオープン接続の１つである。
【請求項２４】
前記少なくともオープン接続は前記ビジーオープン状態にある２以上のオープン接続と前記アイドルオープン状態にある２以上のオープン接続を含み、
最長のオープン状態接続時間を有する前記２以上のオープン接続から１つのオープン接続を決定することをさらに含み、前記選択されたオープン接続は前記最長アイドルオープン状態接続時間を有する前記決定されたオープン接続である、請求項２３に記載の方法。
【請求項２５】
前記少なくともオープン接続は、前記ビジーオープン状態にある２以上のオープン接続と、前記アイドルオープン状態にある２以上のオープン接続を含み、
最長のビジーオープン状態接続時間を有する前記２以上のオープン接続から１つのオープン接続を決定することをさらに含み、前記選択されたオープン接続は前記最長のビジーオープン状態接続時間を有する前記決定されたオープン接続である、請求項２３に記載の方法。
【請求項２６】
前記少なくともオープン接続は、前記ビジーオープン状態にある２以上のオープン接続と、前記アイドルオープン状態にある２以上のオープン接続を含み、
所定の期間に所定のデータ量を送信するために使用される前記２以上のオープン接続から１つのオープン接続を決定することをさらに含み、前記選択されたオープン接続は、前記所定の期間に前記所定量のデータを送信するために使用される前記決定されたオープン接続である、請求項２３に記載の方法。
【請求項２７】
前記所定量のデータは、前記ビジーオープン状態と前記アイドルオープン状態にある前記２以上のオープン接続のユーザ群の一人のユーザにより送信された最大データ量である、請求項２６に記載の方法。
【請求項２８】
前記期間は、前記所定の期間に前記所定のデータ量を送信するために使用される前記２以上のオープン接続から前記オープン接続を前記決定する直前の期間である、請求項２６に記載の方法。
【請求項２９】
前記少なくともオープン接続は、前記ビジーオープン状態にある２以上のオープン接続と前記アイドルオープン状態にある２以上のオープン接続を含み、
所定の期間に所定のデータレートでデータを送信するために使用される前記２以上のオープン接続から１つのオープン接続を決定することをさらに含み、前記選択されたオープン接続は、前記所定の期間に前記所定のデータレートでデータを送信するために使用される前記２以上のオープン接続からの前記決定されたオープン接続である、請求項２３に記載の方法。
【請求項３０】
前記所定のデータレートは前記２以上のオープン接続のユーザ群の一人のユーザにより使用される最高のデータレートである、請求項２９に記載の方法。
【請求項３１】
前記所定の期間は、前記所定の期間に前記所定のデータレートでデータを送信するために使用される前記２以上のオープン接続から前記オープン接続を前記決定する直前の期間である、請求項２９に記載の方法。
【請求項３２】
前記少なくともオープン接続は、前記ビジーオープン状態にある２以上のオープン接続と前記アイドルオープン状態にある２以上のオープン接続を含み、
最長の組み合わされたアイドルオープン接続時間とビジーオープン状態接続時間を有した前記２以上のオープン接続から１つのオープン接続を決定することをさらに含み、前記選択されたオープン接続は、前記最長の組み合わされたアイドルオープン状態接続時間とビジーオープン状態接続時間を有した前記決定された接続である、請求項２３に記載の方法。
【請求項３３】
前記アクセスネットワークにおける負荷状況を検出する工程をさらに具備する、請求項１に記載の方法。
前記通信システムにおける負荷状況を検出する工程をさらに具備する、請求項１に記載の方法。
前記通信システムにおける負荷状況を検出する工程をさらに具備する、請求項１に記載の方法。
【請求項３４】
前記検出は、所定数の既存の接続を検出することを含み、前記負荷状況は既存の接続数に基づく、請求項３３に記載の方法。
【請求項３５】
前記検出は、逆方向リンクの利用と活動を監視することを含み、前記負荷状況は、前記利用と活動のレベルに基づく、請求項３３に記載の方法。
【請求項３６】
下記を具備する方法：
アクセス端末とデータネットワークとの間でアクセスネットワークにおける負荷状況を検出する；
オープン接続のデータトラヒック活動に一部もとづいて複数の先在するオープン接続の中で１つの先在するオープン接続を選択する、各先在するオープン接続は、ビジーオープン状態またはアイドルオープン状態の一方にある；および
前記検出された負荷条件に応答して前記選択されたオープン接続を解放する。
【請求項３７】
さらに下記を具備する請求項３６に記載の方法：
前記アクセス端末と前記データネットワークとの間の接続をデータの通信のために開くための要求を検出する；
前記解放された、選択されたオープン接続に対応する通信リソースを前記アクセス端末に割り当てる。
【請求項３８】
所定数の既存の接続を検出することをさらに具備し、前記負荷状況は既存の接続の前記数に基づく、請求項３６に記載の方法。
【請求項３９】
前記選択されたオープン接続は、アイドルオープン状態である、請求項３６に記載の方法。
【請求項４０】
前記選択されたオープン接続は、ビジーオープン状態である、請求項３６に記載の方法。
【請求項４１】
下記を具備する装置：
アクセス端末とデータネットワークとの間のアクセスネットワークにおいて複数のリソースを管理するためのリソースマネージャー；および
前記リソースマネージャと通信し、接続に通信リソースを割当てるための要求をする複数の接続コントローラ；
前記リソースマネージャーは、前記アクセス端末と前記データネットワークとの間のデータの通信のための接続を開く要求を検出し、前記アクセス端末と前記データネットワークとの間のアクセスネットワークにおける複数の先在するオープン接続を検出し、オープン接続のデータトラヒック活動に基づいて複数の先在するオープン接続の中から１つの先在するオープン接続を選択し、各先在オープン接続は、ビジーオープン状態またはアイドルオープン状態の一方にあり、および前記解放された選択されたオープン接続に対応する通信リソースを、前記アクセス端末に割り当てるために前記選択されたオープン接続を解放するように構成される。
【請求項４２】
前記選択されたオープン接続は、アイドルオープン状態である、請求項４１に記載の装置。
【請求項４３】
前記選択されたオープン接続は、ビジーオープン状態である、請求項４１に記載の装置。
【請求項４４】
下記を具備する方法：
データの通信のためにアクセス端末とデータネットワークとの間の接続を開くための要求を検出する；
前記アクセス端末と前記データネットワークとの間のアクセスネットワークにおいて、オープン接続がアイドルオープン状態にあるかどうか判断する；
前記アイドルオープン接続と他のオープン接続のデータトラヒック活動に一部基づいて前記アイドルオープン状態接続を選択する；
前記選択されたアイドルオープン状態接続を解放する；および
前記解放された、選択されたアイドルオープン接続に対応する通信リソースを前記アクセス端末に割り当てる。
【請求項４５】
下記を具備する方法：
データの通信のためにアクセス端末とデータネットワークの間の接続を開くための要求を検出する；
先在するオープン接続に割り当てられたサービスの程度および前記先在するオープン接続のデータトラヒック活動に基づいて、アクセス端末とデータネットワークとの間のアクセスネットワークにおいて先在するオープン接続を選択する；
前記選択されたオープン接続を解放する；および
前記解放された、選択されたオープン接続に対応する通信リソースを、前記ユーザーに割り当てる。
【請求項４６】
前記選択されたオープン接続は、アイドルオープン状態にある、請求項４５に記載の方法。
【請求項４７】
前記選択されたオープン接続は、ビジーオープン状態にある、請求項４５に記載の方法。
【請求項４８】
さらに下記を具備する、請求項４５に記載の方法：
オープン接続が前記通信システム内のアイドルオープン状態にあるかどうか判断する；前記選択されたオープン接続は前記アイドルオープン状態にある前記決定されたオープン接続である。
【請求項４９】
データの通信のための通信システムにおいて、下記を具備する方法：
データの通信のためにユーザーのための接続をオープンするための要求を検出する；
前記オープン接続に割り当てられるサービスの程度に基づいて２以上のオープン接続を選択する；
２以上の前記選択されたオープン接続がアイドルオープン状態にあるかどうか判断する；
前記アイドルオープン状態にある前記２以上の選択されたオープン接続から、最長のアイドルオープン状態接続時間を有するアイドルオープン接続を選択する；
前記選択されたアイドルオープン接続を解放する；および
前記選択されたアイドルオープン接続を解放することに基づいて解放されたリソースに対応する通信リソースを前記ユーザーに割り当てる。
【請求項５０】
データの通信のための通信システムにおいて、下記を具備する方法：
データの通信のためにユーザーのための接続をオープンするための要求を検出する；
前記オープン接続に割り当てられるサービスの程度に基づいて２以上のオープン接続を選択する；
２以上の前記選択されたオープン接続がアイドルオープン状態にあるかどうか判断する；
前記アイドルオープン状態にある前記２以上の選択されたオープン接続から、所定の期間に所定のデータ量を転送するために使用されるアイドルオープン接続を選択する；
前記選択されたアイドルオープン接続を解放する；および
前記選択されたアイドルオープン接続を解放することに基づいて解放されたリソースに対応する通信リソースを前記ユーザーに割り当てる。
【請求項５１】
前記アクセスネットワークは、前記アクセス端末と無線で通信するように構成された符号分割多元接続（ＣＤＭＡ）ネットワークである、請求項１に記載の方法。
【手続補正２】
【補正対象書類名】明細書
【補正対象項目名】０００５
【補正方法】変更
【補正の内容】
【０００５】
データの通信のための通信システムにおいて、方法と装置は、過負荷条件およびデータの通信のためにユーザに対して接続をオープンするための要求を検出し、オープン接続を選択し、選択されたオープン接続を解放し、ユーザに、選択されたオープン接続を解放することに基づいて解放されたリソースに対応する通信リソースを割当てる。
【手続補正３】
【補正対象書類名】明細書
【補正対象項目名】０００８
【補正方法】変更
【補正の内容】
【０００８】
図１は一実施の形態に従う通信システム１００を図解する。アクセス端末１０４Ａ−Ｃはデータの通信のためにアクセスネットワーク１０１との無線接続を確率し維持する。データ通信は、データネットワーク１０２上に存在するホストとの通信であってもよい。アクセス端末１０４Ａ−Ｃとアクセスネットワーク１０１との間の無線接続はそれぞれデータリンク１１１−１１３を介した状態であってもよい。各リンクは順方向リンクと逆方向リンクを含めても良い。アクセス端末１０４Ａ−Ｃとアクセスネットワーク１０１は、それぞれの端末からデータが送信されるかまたはそれぞれの端末においてデータが受信されるかに応じて、送信器ユニット、または受信器ユニットまたは同時に両方として動作してもよい。一実施の形態において、通信システム１００におけるデータ通信は参照することによりここに組み込まれる符号分割多重アクセス２０００高データレートインターフェース仕様に従うようにしてもよい。この仕様のコピーは、ワールドワイドウエブのwww.3gpp2.orgをアクセスすることにより得ることができる。
【手続補正４】
【補正対象書類名】明細書
【補正対象項目名】００１５
【補正方法】変更
【補正の内容】
【００１５】
セッションを確立することは、データの通信のために接続を確立する前に要求される。接続の確立と維持は、接続層プロトコル４０４により制御される。アクセス端末１０４とアクセスネットワーク１０１はセッションを確立したかもしれないが、データの通信のための接続を持たないかもしれない。さらに、一実施の形態に従って、アクセス端末１０４とアクセスネットワーク１０１は１つのセッションの間に数回接続をオープンおよびクローズしてもよい。アクセス端末１０４がアクセスネットワーク１０１により提供されるサービスエリアを離れるとき、またはアクセス端末１０４が通信を入手できない長期の間セッションを閉じるようにしてもよい。アクセス端末１０４が利用できないことはアクセスネットワーク１０１により検出することができる。
【手続補正５】
【補正対象書類名】明細書
【補正対象項目名】００１７
【補正方法】変更
【補正の内容】
【００１７】
図６は一実施の形態に従って、無線リンク管理プロトコルのアクセスネットワーク１０１およびアクセス端末１０４における動作状態を図解する。無線リンク管理プロトコルはその関連する動作状態を介して、アクセス端末１０４によるアクセスネットワーク１９１の初期取得を管理し、そして、アクセスネットワーク１０１とアクセス端末１０４との間の接続の確立、維持、および終了を管理する。アイドル状態プロトコルおよび接続状態プロトコルは、接続をオープンまたはクローズするためにアクセス端末１０４およびアクセスネットワーク１０１のための機構を供給する。図６は、一実施の形態に従って、アクセスネットワーク１０１に関連する無線リンク管理プロトコル状態７００およびアクセス端末１０４に関連する無線リンク管理プロトコル状態７５０を描写する。
【手続補正６】
【補正対象書類名】明細書
【補正対象項目名】００１８
【補正方法】変更
【補正の内容】
【００１８】
アクセスネットワーク１０１のための無線リンク管理プロトコル状態７００は、アイドル状態７０１および接続状態７０２を含んでも良い。無線リンク管理プロトコル状態７００はまたアクセスネットワーク１０１のための（図示しない）初期化状態を含んでも良い。初期化状態の単一のインスタンスはすべてのアクセス端末に仕えるであろう。アクセス端末１０４のための大気中リンク管理プロトコル状態７５０は、初期化状態７５１、アイドル状態７５２、および接続状態７５３を含んでもよい。初期化状態７５１の期間、アクセス端末１０４は、アクセスネットワーク１０１のようなアクセスネットワークを取得する。アクセスネットワークを取得するために、アクセス端末１０４は最初にアクセスネットワーク１０１のようなアクセスネットワークを選択する。第２に、アクセス端末１０４は選択されたアクセスネットワークから送信されたパイロットチャネルを取得し、第３にアクセス端末１０４は選択されたアクセスネットワークと同期を取る。アクセスネットワーク１０１が取得されると、アクセス端末１０４はアイドル状態７５２に入り、そしてアクセスネットワーク１０１はアイドル状態７０１に入る。アクセスネットワーク１０１とアクセス端末１０４はアイドル状態７０１、７５２の期間、接続を持たない。接続は、アクセスネットワーク１０１によるアイドル状態において、またはアクセス端末１０４によるアイドル状態７５２において開くことができる。
【手続補正７】
【補正対象書類名】明細書
【補正対象項目名】００１９
【補正方法】変更
【補正の内容】
【００１９】
アクセスネットワーク１０１とアクセス端末１０４との間の接続は、一実施の形態に従って、アクセスネットワーク１０１とアクセス端末１０４の両方により開きまたは閉じることができる。接続が開かれると、無線リンク管理プロトコルは接続状態にある。接続はアクセスネットワーク１０１とアクセス端末１０４のいずれか１つにより閉じることができる。接続はまた、アクセスネットワーク１０１とアクセス端末１０４との間の通信の損失によっても閉じることができる。
【手続補正８】
【補正対象書類名】明細書
【補正対象項目名】００２１
【補正方法】変更
【補正の内容】
【００２１】
図８は一実施の形態に従って、アクセスネットワーク１０１に関連する接続された状態７０２において、およびアクセス端末１０４に関連する接続された状態７５３において、実行される接続状態プロトコルの種々の状態を図解する。アクセス端末１０４のプロトコル７５３の状態はインアクティブ状態９５１およびオープン状態９５２を含んでいてよい。アクセスネットワーク１０１のプロトコル７０２の状態は、インアクティブ状態９０１、オープン状態９０２、およびクローズ状態９０３を含んでいてよい。接続セットアップが成功すると、アクセス端末１０４は、インアクティブ状態９５１からオープン状態９５２に移動する。同様に、接続セットアップが成功すると、アクセスネットワーク１０１は、インアクティブ状態９０１からオープン状態９０２に移動する。アクセス端末１０４とアクセスネットワーク１０１は、オープン状態９５２および９０２にあるとき、データを通信することができる。アクセス端末１０４は、アクセスネットワーク１０１にデータを通信するために逆方向トラヒックチャネル３０１を使用してもよい。アクセスネットワーク１０１は、アクセス端末１０４とデータ通信するために順方向トラヒックチャネル２０３を使用してもよい。アクセス端末１０４において、オープン状態を終了するために、アクセス端末１０４は、接続クローズメッセージをアクセスネットワーク１０１に送信してもよい。アクセスネットワーク１０１は接続クローズメッセージを送信することにより、オープン状態を閉じることを開始してもよい。アクセスネットワーク１０１は、接続クローズメッセージを送信した後、クローズ状態９０３に移動する。アクセス端末１０４は、アクセスネットワーク１０１から接続クローズメッセージを受信した後、接続クローズメッセージをアクセスネットワーク１０１に送信し、インアクティブ状態９５１に移動する。アクセスネットワーク１０１は、アクセス端末１０４から接続クローズメッセージを受信した後、クローズ状態９０３からインアクティブ状態９０１に移動する。
【手続補正９】
【補正対象書類名】明細書
【補正対象項目名】００２２
【補正方法】変更
【補正の内容】
【００２２】
アクセス端末１０４とアクセスネットワーク１０１は、オープン状態９５２、９０２の期間、データを送受信するためにセットアップフェーズの期間に割当てられた通信リソースを使用してもよい。一実施の形態に従って、接続は、オープン状態９０２、９５２の期間、ビジーオープン状態にあってもよいし、アイドルオープン状態にあってもよい。接続がビジーオープン状態にあるとき、データ交換は、アクセスネットワーク１０１とアクセス端末１０４との間で、順方向リンクを介してまたは逆方向リンクを介してまたは両方を介して生じる。交換すべきデータが無いとき、接続はアイドルオープン状態に遷移する。アクセスネットワーク１０１またはアクセス端末１０４からの送信に対してデータが利用可能になると、接続の状態がアイドルオープン状態からビジーオープン状態に遷移する。
【手続補正１０】
【補正対象書類名】明細書
【補正対象項目名】００２３
【補正方法】変更
【補正の内容】
【００２３】
図９は、一実施の形態に従って、アクセス端末１０４におけるオープン状態９５２およびアクセスネットワーク１０１におけるオープン状態９０２のようなオープン状態において、接続を維持するために使用可能なフローチャート１０００を図解する。フローチャート１０００はアクセスネットワーク１０１内の接続コントローラ（図示せず）を介して実施してもよい。ステップ１００１において、アクセスネットワーク１０１とアクセス端末１０４はデータを送受信するためにビジーオープン状態において、オープン接続を有する。データパケットはより小さなデータ単位に分解してもよい。この場合、データ単位は無線リンク上で送信される。一実施の形態に従って、アクセスネットワーク１０１内のコントローラは、ステップ１００２において、オープン接続を介して送信されるべきまたは受信されるべき何らかのデータ単位または何らかのさらなるデータパケットがあるかどうか判断する。データ単位を送信または受信しないなら、ステップ１００３において、オープン接続の状態がビジーオープン状態からアイドルオープン状態に変化する。他方、送信すべきまたは受信すべきさらなるデータ単位またはデータパケットがあるなら、制御フロー１０００はステップ１００１に戻る。一実施の形態に従って、アイドルオープン状態におけるオープン接続は関連する無活動タイマーを持つことが出来る。タイマーが満了する前に、送信または受信のために何らかのデータが利用可能になるなら、制御フロー１０００はデータを送受信するためにステップ１００１に戻る。この時点において、活動タイマーを停止させてもよい。タイマーがステップ１００４で満了するなら、オープン接続は、接続された状態プロトコルに従って閉じられ、そしてその接続に割当てられたリソースは、恐らく将来入力される接続要求に割当てるために解放される。
【手続補正１１】
【補正対象書類名】明細書
【補正対象項目名】００２５
【補正方法】変更
【補正の内容】
【００２５】
図１０は、一実施の形態に従って、アクセスネットワーク１０１において、リソースマネージャにより使用されるフローチャート１１００を図解する。ステップ１１０１において、リソースマネージャは通常動作モードであってもよい。通常、いくつかのオープン接続が同時に存在してもよい。いくつかのオープン接続がビジーオープン状態であってもよく、他はアイドルオープン状態であってもよい。一実施の形態に従って、アイドル状態にあるオープン接続はそれぞれの無活動タイマーを実行している。新しい接続を開くための要求が到来すると、リソースマネージャはステップ１１０２において、割当てのためにいずれかのリソースが利用可能かどうかチェックする。利用可能なリソースが無いとき、リソースマネージャはステップ１１０３において、その接続要求を否定し、制御フローはステップ１１０１に戻る。他方、一実施の形態において、利用可能なリソースがあれば、リソースマネージャはステップ１１０４において接続を開くための要求を受け入れ、そして接続セットアップルーチンにおいて、リソースを新しい接続に割当てる。従って、制御フローはリソースマネージャがステップ１１０１に戻るために戻る。
【手続補正１２】
【補正対象書類名】明細書
【補正対象項目名】００２６
【補正方法】変更
【補正の内容】
【００２６】
図１１は、一実施の形態に従って、過負荷状況下で、効率的なリソース管理のためにリソースマネージャにより使用されるためのフローチャート１２００を図解する。フローチャート１２００は一実施の形態に従って、アクセスネットワーク１０１において実施してもよい。ステップ１２０１において、リソースマネージャは通常動作状態にある。通常動作状態において、アクセスネットワーク１０１は、ビジーオープン状態およびアイドルオープン状態において、リソースをいくつかの接続に割当てた状態になっていてもよい。新しい接続をセットアップするための要求が検出されると、リソースマネージャはステップ１２０２において、なんらかの利用可能なリソースをチェックする。利用可能なリソースが検出されるなら、リソースマネージャはステップ１２０７において、利用可能なリソースを新しい接続に割当てる。その次に、制御フロー１２００はステップ１２０１に移動する。ステップ１２０２において、利用可能なリソースが検出されないなら、制御フローはステップ１２０３に移動し、何らかの接続がアイドルオープン状態にあるかどうかチェックする。１つ以上のオープン接続がアイドルオープン状態にあってもよい。アイドルオープン状態にある各オープン接続は、関連する無活動タイマーを有するであろう。リソースマネージャはステップ１２０５において、アイドルオープン状態にある接続の少なくとも１つを解放することを決定してもよい。ステップ１２０６において、アイドル状態にある選択されたオープン接続に割当てられたリソースは解放され、そしてステップ１２０７において、解放されたリソースは新しい接続に割当てられる。
【手続補正１３】
【補正対象書類名】明細書
【補正対象項目名】００２８
【補正方法】変更
【補正の内容】
【００２８】
一実施の形態に従って、アイドルオープン状態にある接続が検出されず、すべての接続がビジーオープン状態にあるなら、リソースマネージャはステップ１２０４において、解放のためにビジーオープン状態にある接続の１つを選択する。一実施の形態に従って、ステップ１２０６において、選択された状態に割当てられたリソースが解放され、ステップ１２０７において、解放されたリソースは新しい接続に割当てられる。一実施の形態に従って、リソースマネージャは、ステップ１２０４において接続を解放するためのランダムな選択に基づいて、ビジー状態にあるすべての接続から選択するようにしてもよい。一実施の形態に従って、リソースマネージャはその選択のためにいくつかの基準を使用してもよい。例えば、ビジーオープン状態にある最も長い時間を有した接続、または所定の期間より長いビジーオープン時間を有した接続のグループから選択された接続が解放のために選択されるようにしてもよい。さらに、一実施の形態に従って、ビジーオープン状態にある接続は、接続された状態プロトコルのオープン状態に接続があった期間に基づいて解放のために選択されるようにしてもよい。接続がオープン状態にあってよい期間は、一実施の形態に従って、接続がビジーオープン状態およびアイドルオープン状態にあった結合された期間に基づいて決定される。解放のためにビジーオープン状態にある接続を選択するための基準は、一実施の形態に従って、所定の期間に、最大量のデータ送信した接続を選択することを含んでよい。所定の期間は、一実施の形態に従って、解放時間の前のある期間であってよい。接続は、所定の時間に所定のデータ量以上に送信した接続のグループから選択するようにしてもよい。所定の期間は、接続がセットアップされてからの時間であってよい。データ量は、種々の実施の形態に従って、順方向リンク、または逆方向リンク、または両方の集合を介して送信されるデータであってよい。
【手続補正１４】
【補正対象書類名】明細書
【補正対象項目名】００３１
【補正方法】変更
【補正の内容】
【００３１】
ステップ１３０２において、オープン接続が通信システム内のアイドルオープン状態にあるかどうかを判断する必要があるかもしれない。すべての接続の中で、オープン接続がアイドルオープン状態にあると判断されるなら、解放のための選択されたオープン接続はアイドルオープン状態にある決定されたオープン接続である。２以上のオープン接続がアイドルオープン状態にあるなら、最長のアイドルオープン接続時間を有するオープン接続がアイドルオープン状態にある２以上のオープン接続から決定される。解放のための選択されたオープン接続は、一実施の形態に従って、最長のアイドルオープン状態接続を有する決定されたオープン接続である。
【手続補正１５】
【補正対象書類名】明細書
【補正対象項目名】００４７
【補正方法】変更
【補正の内容】
【００４７】
ここに記載したアルゴリズムに従って解放のための接続を決定するために、チャネルリソースマネージャ１４０２は、接続時間（接続が開いた期間）、順方向に送信されたデータバイトの量、逆方向に送信されたデータバイトの量、およびアイドルタイム（順方向または逆方向にデータが無いとき）のような達成度の尺度を推定するようにしてもよい。これらは、チャネルリソース１４０５において、収集することができ、周期的にチャネルリソースマネージャ１４０２に更新することができる。さらに、またはあるいは、解放のための接続はユーザに対するサービス程度に基づいて選択するようにしてもよい。低いサービス程度を有する候補は高いサービス程度を有する候補に優先して解放のために選択するようにしてもよい。